(57)【要約】【課題】高価な設備を必要とせず、大量に保存することができ、ランニングコストも不要な穀物保存具を提供する。【解決手段】穀物を収容するためのガスバリア性の密閉容器１と、穀物と共に密閉容器１に収容される脱酸素剤２とを備える。脱酸素剤２による脱酸素状態でガスバリア性の密閉容器１に穀物Ｒを密閉して保存することができる。【選択図】図１
2010148424.tif 000002
【特許請求の範囲】
【請求項１】
酸素の透過を遮断するガスバリア性を有し、穀物を収容するための密閉容器と、穀物と共に密閉容器に収容される脱酸素剤とを備えて成ることを特徴とする穀物保存具。
【請求項２】
酸素の透過を遮断するガスバリア性を有する密閉容器に穀物と脱酸素剤とを収容し、密閉容器を密閉することを特徴とする穀物の保存方法。
【発明の詳細な説明】
【技術分野】
【０００１】
本発明は、籾、玄米、白米（精白米）などの穀物を長期間保存するための穀物保存具及び穀物の保存方法に関するものである。
【背景技術】
【０００２】
従来より、穀物の保存（貯蔵、保管も含む）に際し、保存性や食味の向上あるいは害虫の予防などのために低温庫が用いられている（特許文献１参照）。このような低温庫は庫内の温度を冷凍機で１０℃前後に維持しながら、庫内に穀物を保存するものである。
【特許文献１】特開平５−１６８３４２号公報
【発明の開示】
【発明が解決しようとする課題】
【０００３】
しかし、低温庫による保存では、高価な低温庫を購入しなければならず、また、低温を維持するための冷凍機のランニングコストも高くなり、さらに、保存量も庫内容量に限定されるという問題があった。
【０００４】
本発明は上記の点に鑑みてなされたものであり、高価な設備を必要とせず、大量に保存することができ、ランニングコストも低く抑えることができる穀物保存具及び穀物の保存方法を提供することを目的とするものである。
【課題を解決するための手段】
【０００５】
本発明の穀物保存具は、酸素の透過を遮断するガスバリア性を有し、穀物Ｒを収容するための密閉容器１と、穀物Ｒと共に密閉容器１に収容される脱酸素剤２とを備えて成ることを特徴とするものである。
【０００６】
本発明の穀物の保存方法は、酸素の透過を遮断するガスバリア性を有する密閉容器１に穀物Ｒと脱酸素剤２とを収容し、密閉容器１を密閉することを特徴とするものである。
【発明の効果】
【０００７】
脱酸素剤２による脱酸素状態でガスバリア性の密閉容器１に穀物を密閉して保存することができ、穀物の酸化を防止して品質の劣化を防止することができると共にカビや害虫の発生も防止することができるものである。しかも、従来の低温庫のような高価な装置を必要とせず、また、低温にするための冷凍機の運転も不要でランニングコストを低く抑えることができ、さらに、所定容量の保存庫も不要であり、穀物を長期間にわたって安価に品質劣化なく保存することができるものである。
【発明を実施するための最良の形態】
【０００８】
以下、本発明を実施するための最良の形態を説明する。
【０００９】
本発明の穀物保存具は、密閉容器１と脱酸素剤２とを備えて形成されている。
【００１０】
本発明の密閉容器１としては、例えば、ドライフード用として好適に使用されているものであって、内部を密閉状態（自然に通気しない状態）に維持することが可能であり、酸素の透過度が低いガスバリア性を有する容器であればいずれでも使用することができる。例えば、ガスバリア性を有する樹脂の箱状容器や袋体やボトル、金属缶、ガラス瓶などを密閉容器１として用いることができる。ガスバリア性を有する樹脂としては、ポリ塩化ビニリデン（ＰＶＤＣ）やエチレンビニルアルコール共重合体（ＥＶＯＨ）などを例示することができ、このような樹脂をフィルムにして袋体を形成することができる。また、アルミニウムやシリカやアルミナなどをポリエステルフィルムなどの基材に蒸着した蒸着フィルムを用いて袋体を形成することができる。本発明では、密閉容器１が酸素透過率１〜１５０ｍｌ／ｍ２・２４ｈｒｓ・ＭＰａ（ＪＩＳ  Ｋ  ７１２６準拠、２０℃、８０％Ｒ．Ｈ．）が好ましく、また、厚み３０〜３００μｍであればよいが、これらに限定されるものではない。
【００１１】
また、密閉容器１はその開口部３を閉塞手段４により閉口することができる。袋体の密閉容器１ではチャックやジッパーなど閉塞手段４として設けて閉口できるようにしてもよいし、クリップ等の挟着具を用いて閉口できるようにしたり、あるいは開口部３を熱溶着（ヒートシール）や接着剤、粘着テープ等の接着手段により閉口できるようにしてもよい。箱状の密閉容器の場合は蓋で開口部を閉口できるようにすることができる。
【００１２】
脱酸素剤２としては、酸素を吸着して保持できるものであれば何でも使用することができ、例えば、三菱ガス化学株式会社製のエージレス（登録商標）や使い捨てカイロなどの鉄粉の酸化により酸素を吸着するものを用いることができる。
【００１３】
そして、本発明の穀物保存具で穀物を保存するにあたっては、密閉容器１に穀物Ｒと脱酸素剤２とを収容した後、密閉容器１の開口部３を閉塞して密閉状態にする。これにより、密閉後の密閉容器１内の酸素が脱酸素剤２により除去されることになり、穀物の酸化を防止することができると共に好気性のカビの発生を防止することができるものである。また、コクヌストなどの病害虫の発生も防止することができるものである。従って、品質劣化を速度を遅くして穀物Ｒを常温で長期間保存することができるものである。特に、梅雨の時期では湿気の影響により穀物が劣化しやすいが、本発明では密閉されているために湿気の影響も少なくなり、梅雨の前後でも品質の劣化を防止することができるものである。また、密閉容器内を真空にしたり空気を窒素ガスに置換する場合に比べて、手間やコストを抑えることができるものである。
【００１４】
尚、穀物が紙袋等の他の包装体で包装されている場合は、その包装体に入れたままで密閉容器に収容することができる。また、穀物は、籾、玄米、白米などの各種のものに適用可能である。
【実施例】
【００１５】
以下本発明を実施例によって具体的に説明する。
【００１６】
（実施例１）
密閉容器として、ガスバリア性を有する樹脂フィルム製の袋体（布団圧縮袋として市販されているもの）を用いた。脱酸素剤としては携帯用の使い捨てカイロを用いた。
【００１７】
そして、玄米３０ｋｇを販売用の通気性のある紙袋に入れたまま、密閉容器に収容すると共に脱酸素剤も密閉容器に入れ、密閉容器の開口端部を折り返した後、粘着テープで開口部を閉塞した。この後、暗所の常温下で保存した。
【００１８】
（実施例２）
穀物として白米３０ｋｇを用い、紙袋に入れずに直接密閉容器に収容した以外は実施例１と同様にした。
【００１９】
（比較例１）
玄米３０ｋｇを販売用の通気性のある紙袋に入れたまま、暗所の常温下で保存した。
【００２０】
（比較例２）
白米を米びつで保存した。
【００２１】
（比較例３）
玄米３０ｋｇを販売用の通気性のある紙袋に入れたまま、低温庫を用いて１０℃で保存した。
【００２２】
［評価試験］
実施例１、２及び比較例１〜３で得られた玄米及び白米の評価試験を行った。評価試験は、所定の保存期間後の玄米及び白米を炊飯し（玄米は精米後に炊飯）、得られた米飯の外観（つや、ふっくらした感じ）、食味、食感、においを総合的に評価した。試験人は１０人とし、保存期間を三ヶ月、六ヶ月、十二ヶ月、十八ヶ月とした。評価は「非常に良い」を◎、「良い」を○、「普通」を△、「悪い」を×とした。結果を表１に示す。
【００２３】
【表１】
2010148424.tif 000003
【００２４】
実施例１、２と比較例１、２とを対比すると、実施例１、２では、玄米及び白米共に、一年以上でも品質の劣化が少なく保存できたのに対して、比較例１では特に一年以上保存した場合に品質の劣化が見られ、白米である比較例２では短期間の保存であっても劣化が進んだ。
【００２５】
また、実施例１、２と比較例３とを対比すると、比較例３は低温保存であるため、実施例１、２と同様に長期間にわたって品質の劣化を防止できたが、冷凍機の運転コストが多大となった。
【図面の簡単な説明】
【００２６】
【図１】（ａ）は本発明の実施の形態の一例を示す斜視図、（ｂ）は使用状態を示す斜視図である。
【符号の説明】
【００２７】
１  密閉容器
２  脱酸素剤
【図１】
2010148424.tif 000004